(57)【要約】【課題】加熱手段の発停回数を抑えることで、出湯温度を設定温度に安定化させて、温水の過剰な熱や湿度などに伴う農作物のストレスを軽減させつつ、病虫害の防除効果が有利に発揮される新規な構造の温水防除装置を提供する。【解決手段】温水防除装置１０には、温水を貯留する温水貯留領域３４と水を貯留する水貯留領域３６とを備え、温水貯留領域３４と水貯留領域３６とは温水および水が相互に越流可能に配置されている貯留手段２０や、設定温度と温水の温度との差に基づいて、貯留手段２０において温水貯留領域３４にだけ温水を貯留させたり、温水貯留領域３４に温水を貯留させると共に水貯留領域３６に水を貯留させたり、あるいは温水貯留領域３４にある温水と水貯留領域３６にある水との一方を他方に越流させたりすることで、温水貯留領域３４の温水貯留量と水貯留領域３６の水貯留量を制御する制御手段２２が設けられている。【選択図】図１
2016146813.tif 000002
【特許請求の範囲】
【請求項１】
堆肥による土作りを行った圃場で農作物を育成する際に、該圃場と該農作物の少なくとも一方に温水を散布することによって病虫害を防除する温水防除装置であって、
水を加熱することで前記温水を生成する加熱手段と、
前記水を前記加熱手段に供給する給水手段と、
前記加熱手段で生成された前記温水を貯留する温水貯留領域と前記給水手段における前記水を貯留する水貯留領域とを備え、該温水貯留領域と該水貯留領域とは該温水および該水が相互に越流可能に配置されている貯留手段と、
前記貯留手段の前記温水貯留領域から前記温水を外部に吐出させる吐出手段と、
前記温水の温度を検知する温度検知手段と、
前記温水を目的とする温度に設定する温度設定手段と、
前記温度設定手段によって設定された設定温度と前記温度検知手段により検知された前記温水の温度との差に基づいて、前記貯留手段において前記温水貯留領域にだけ前記温水を貯留させたり、該温水貯留領域に該温水を貯留させると共に前記水貯留領域に前記水を貯留させたり、あるいは該温水貯留領域にある該温水と該水貯留領域にある該水との一方を他方に越流させたりすることで、該温水貯留領域における該温水の貯留量と該水貯留領域における該水の貯留量を制御する制御手段と、
を備えたことを特徴とする温水防除装置。
【請求項２】
前記温度設定手段は、前記温水を前記農作物の葉面に散布するのに適した温度に設定する葉面散布モードと、該葉面散布モードよりも高温で該温水を前記圃場の土壌に散布して消毒するのに適した温度に設定する土壌消毒モードとの二つの設定モードを備えており、該温度設定手段が該葉面散布モードである場合に、前記制御手段は、前記貯留手段において前記温水貯留領域にだけ前記温水を貯留する制御を行う一方、該温度設定手段が該土壌消毒モードである場合に、該制御手段は、該温水貯留領域に該温水を貯留すると共に前記水貯留領域に前記水を貯留する制御と、該温水貯留領域にある該温水と該水貯留領域にある該水との一方を他方に越流させる制御とを行う請求項１に記載の温水防除装置。
【請求項３】
前記制御手段は、前記温度検知手段によって検知された前記温水の温度に基づいて、該温水の温度を前記温度設定手段による前記設定温度に近づける方向に前記温水貯留領域における前記温水の貯留量と前記水貯留領域における前記水の貯留量をフィードバック制御すると共に、該制御手段は、かかるフィードバック制御によって該温水の温度が該設定温度に最も近づいた時の最適データをサンプリングして、該最適データを実現するように該温水の貯留量と該水の貯留量を学習制御する請求項１又は２に記載の温水防除装置。
【請求項４】
前記温水貯留領域の前記温水と前記水貯留領域の前記水を混合して、該混合水を前記加熱手段に供給する混合手段を備えており、前記制御手段は、前記フィードバック制御によって該温水の温度が前記温度設定手段による前記設定温度に最も近づいた時の最適データをサンプリングして、該最適データを実現するように該混合手段における該温水と該水の混合比を学習制御する請求項３に記載の温水防除装置。
【請求項５】
前記吐出手段から外部に吐出される前記温水の積算流量を測定する積算流量測定手段と、前記温水を吐出できる流量の制限値を設けて、前記積算流量が該制限値に達したら、その制限値に達したことを報知して、吐出手段の作動を停止する流量制限手段とを備える請求項１乃至４の何れか一項に記載の温水防除装置。
【請求項６】
前記温水貯留領域の前記温水を外部に排出する排水手段を備えており、前記温度検知手段により検知された該温水の温度が前記温度設定手段による前記設定温度に比して高くなり過ぎた場合に、前記制御手段は、該排水手段を作動して該温水貯留領域の該温水を外部に排出させると共に、前記給水手段又は前記水貯留領域における前記水を該温水貯留領域に供給させる制御を行う請求項１乃至５の何れか一項に記載の温水防除装置。
【請求項７】
前記温度検知手段の少なくとも一部が、前記温水貯留領域から前記吐出手段に至る前記温水の経路上で、該温水貯留領域よりも該吐出手段に近い側に設けられており、該温度検知手段によって検知された該温水の温度データが、無線通信手段を介して前記制御手段に送られる請求項１乃至６の何れか一項に記載の温水防除装置。
【請求項８】
前記温水貯留領域から前記吐出手段に至る前記温水の経路上において、該温水貯留領域よりも該吐出手段に近い側には、該温水を補助的に加熱する補助加熱手段が設けられており、前記温度検知手段により検知された該温水の温度が前記温度設定手段により設定された前記設定温度よりも低い場合に、前記制御手段が該補助加熱手段を作動させて、該温水が該補助加熱手段によって加熱される請求項１乃至７の何れか一項に記載の温水防除装置。
【請求項９】
前記加熱手段、前記給水手段、前記貯留手段、前記吐出手段、前記温度検知手段、前記温度設定手段、前記制御手段、前記混合手段、前記積算流量測定手段、前記流量制限手段、前記排水手段、前記無線通信手段および前記補助加熱手段の少なくとも一つを前記圃場の任意の場所へ移動させる移動手段を備える請求項１乃至８の何れか一項に記載の温水防除装置。
【請求項１０】
前記貯留手段は、前記水や前記温水を入れることが可能な容器により構成され、該容器の内部に仕切部材を設けて複数の領域を区画形成することによって、これら複数の領域の一部または全部により前記温水貯留領域や前記水貯留領域が構成される請求項１乃至９の何れか一項に記載の温水防除装置。
【発明の詳細な説明】
【技術分野】
【０００１】  本発明は、堆肥による土作りを行った圃場で農作物を育成する際に、圃場や農作物に温水を散布することによって病虫害を防除する温水防除装置に関する。
【背景技術】
【０００２】  従来から、農作物の育成において、例えば、アザミウマ（スリップス）やカイガラムシ、ダニ、アブラムシ、ウドンコ病、ベト病、菌核病などの病虫害の発生を抑えるために、温水を圃場や農作物に散布することがある。【０００３】  このような温水を散布する温水防除装置は、例えば、特許文献１（特表２０１４−５０００１６号公報）や特許文献２（特公平７−６３２８０号公報）、特許文献３（特許第３６４６２５４号公報）、特許文献４（特開２００５−１７９３６９号公報）に示されるように、水を加熱して温水を生成する業務用ボイラまたは家庭用給湯器などの加熱手段や加熱手段に水を供給する給水ポンプなどの給水手段、温水を貯留するタンクなどの貯留手段、温水を外部に吐出する動力噴霧器や吐出ノズルなどの吐出手段を備えている。【０００４】  ところで、特許文献１〜４に示される従来構造の温水防除装置では、吐出手段によって外部に吐出される温水の出湯温度が目的とする設定温度になるために、水を加熱する加熱手段の運転を制御している。かかる運転制御としては、一般に、出湯温度が設定温度を下回った場合に加熱手段の運転をオンし、かつ出湯温度が設定温度を上回った場合に加熱手段の運転をオフするオンオフ制御や、設定温度を中心とした所定の比例帯を設定して、加熱手段において水を加熱する出力を出湯温度と設定温度との偏差に比例させる比例制御などが知られている。
【先行技術文献】
【特許文献】
【０００５】
【特許文献１】  特表２０１４−５０００１６号公報
【特許文献２】  特公平７−６３２８０号公報
【特許文献３】  特許第３６４６２５４号公報
【特許文献４】  特開２００５−１７９３６９号公報
【発明の概要】
【発明が解決しようとする課題】
【０００６】  しかしながら、オンオフ制御では、加熱手段の発停を頻繁に繰り返すことによって、加熱手段などの耐久性が低下したり、出湯温度が設定温度に安定し難かったりする問題があった。【０００７】  また、比例制御においては、オンオフ制御に比べて加熱手段の発停が抑えられるものの、出湯温度と設定温度との偏差を確実に得るまで、結局は、加熱手段の発停を繰り返すこととなる。特に温水防除装置のように屋外で使用する装置に比例制御が適用される場合には、外気温や湿度、風などの外乱要素が多くて、比例制御に必要なフィードバック要素が多くなるため、結果として、加熱手段の発停回数が多くなる。【０００８】  このため、従来構造の温水防除装置では、目的とする温度の温水が安定して得られ難いことに起因して、病虫害の防除効果が十分に発揮されなかったり、あるいは農作物に対して温水の熱または湿度によるストレスを過度に与えることによって、農作物の育成に障害を生じさせたりする問題を内在していたのである。【０００９】  本発明は、上述の如き事情を背景として為されたものであって、その目的とするところは、加熱手段の発停回数を抑えることで、出湯温度を設定温度に安定化させて、温水の過剰な熱や湿度などに伴う農作物のストレスを軽減させつつ、病虫害の防除効果が有利に発揮される新規な構造の温水防除装置を提供することにある。
【課題を解決するための手段】
【００１０】  上述の課題を解決するために為された本発明に関する請求項１に記載の温水防除装置では、堆肥による土作りを行った圃場で農作物を育成する際に、該圃場と該農作物の少なくとも一方に温水を散布することによって病虫害を防除する温水防除装置であって、（ａ）水を加熱することで前記温水を生成する加熱手段と、（ｂ）前記水を前記加熱手段に供給する給水手段と、（ｃ）前記加熱手段で生成された前記温水を貯留する温水貯留領域と前記給水手段における前記水を貯留する水貯留領域とを備え、該温水貯留領域と該水貯留領域とは該温水および該水が相互に越流可能に配置されている貯留手段と、（ｄ）前記貯留手段の前記温水貯留領域から前記温水を外部に吐出させる吐出手段と、（ｅ）前記温水の温度を検知する温度検知手段と、（ｆ）前記温水を目的とする温度に設定する温度設定手段と、（ｇ）前記温度設定手段によって設定された設定温度と前記温度検知手段により検知された前記温水の温度との差に基づいて、前記貯留手段において前記温水貯留領域にだけ前記温水を貯留させたり、該温水貯留領域に該温水を貯留させると共に前記水貯留領域に前記水を貯留させたり、あるいは該温水貯留領域にある該温水と該水貯留領域にある該水との一方を他方に越流させたりすることで、該温水貯留領域における該温水の貯留量と該水貯留領域における該水の貯留量を制御する制御手段とを備えたことを特徴とする。【００１１】  本発明の温水防除装置では、温度設定手段による設定温度と温度検知手段により検知された温水の温度との差に基づいて、温水貯留領域にだけ温水が貯留される態様や、温水貯留領域に温水が貯留されると共に水貯留領域に水が貯留される態様、温水貯留領域にある温水と水貯留領域にある水との一方が他方に越流される態様がとられる。【００１２】  すなわち、本発明の温水防除装置によれば、制御手段が、温水の温度と設定温度との差に応じて、加熱手段に供給する水または温水の温度における急激な変動を抑える方向に上述の態様をとることが可能となる。これにより、例えば、温水散布の使い方によって温水の吐出量または加熱手段への水の供給量が急激に変動したり、温水防除装置を屋外に設置することで外気温や湿度、風などの温水の温度制御の外乱要素が多くなったりするような場合にも、温度が急激に変動した水または温水が加熱手段に供給されることが抑えられて、加熱手段の発停回数が抑えられることから、出湯温度を設定温度に安定化させることができる。それ故、温水の過剰な熱や湿度などに伴う農作物のストレスを軽減させつつ、病虫害の防除効果が有利に発揮されるのである。【００１３】  また、本発明の温水防除装置では、例えば請求項２に記載されているように、前記温度設定手段は、前記温水を前記農作物の葉面に散布するのに適した温度に設定する葉面散布モードと、該葉面散布モードよりも高温で該温水を前記圃場の土壌に散布して消毒するのに適した温度に設定する土壌消毒モードとの二つの設定モードを備えており、該温度設定手段が該葉面散布モードである場合に、前記制御手段は、前記貯留手段において前記温水貯留領域にだけ前記温水を貯留する制御を行う一方、該温度設定手段が該土壌消毒モードである場合に、該制���手段は、該温水貯留領域に該温水を貯留すると共に前記水貯留領域に前記水を貯留する制御と、該温水貯留領域にある該温水と該水貯留領域にある該水との一方を他方に越流させる制御とを行う構成が採用されても良い。【００１４】  このような温水防除装置では、農作物の温水防除において使うケースが多い葉面散布モードと土壌消毒モードを用意することにより、温度の設定が簡便化されて、ひいては温度設定の人為的なミスに起因する防除効果の低下や農作物の過剰ストレスが有利に抑制される。【００１５】  特に、葉面散布モードでは、農作物の高温または過湿障害を防止する観点から温水の温度を高温にし過ぎないように設定する必要があり、このため、設定温度がそれ程高くない温度（例えば５０〜６５℃）に設定されることから、上述のように制御手段が温水を温水貯留領域に貯留する制御を行うだけでも、温度が急激に変動した水または温水が加熱手段に供給されることが抑えられる。その結果、制御手段の複雑な制御が回避されて、温水の温度の変動に伴う制御手段の応答性が向上され、出湯温度を設定温度にすることの更なる安定化が図られる。【００１６】  一方、土壌消毒モードでは、土壌表面または土中に生息する農作物の育成に有害な菌や害虫を効果的に防除するために、設定温度が比較的に高い温度（例えば７０〜９５℃）に設定されることから、水温との差が小さい葉面散布モードと比べて、温水の温度の変動量が大きくなり易い。そこにおいて、本発明では、上述のように制御手段が、温水貯留領域に温水を貯留すると共に水貯留領域に水を貯留する制御を行ったり、温水貯留領域にある温水と水貯留領域にある水との一方を他方に越流させる制御を行ったりすることによって、加熱手段に供給する水または温水の温度における急激な変動を抑えることができる。【００１７】  要するに、本発明の温水防除装置によれば、設定温度の領域が比較的に低い領域から高い領域まで広い場合においても、一つの貯留手段で実現されることから、部品点数の削減化に基づいて、装置の低コスト化や装置の軽量化による農作業の労力軽減などが有利に図られる。しかも、装置のコンパクト化も図られることによって、例えば、装置を圃場の任意の場所に移動させることも容易に実現でき、優れた温水防除作業が実現される。【００１８】  また、本発明の温水防除装置では、例えば請求項３に記載されているように、前記制御手段は、前記温度検知手段によって検知された前記温水の温度に基づいて、該温水の温度を前記温度設定手段による前記設定温度に近づける方向に前記温水貯留領域における前記温水の貯留量と前記水貯留領域における前記水の貯留量をフィードバック制御すると共に、該制御手段は、かかるフィードバック制御によって該温水の温度が該設定温度に最も近づいた時の最適データをサンプリングして、該最適データを実現するように該温水の貯留量と該水の貯留量を学習制御する構成が採用されても良い。【００１９】  このような温水防除装置では、制御手段の方式に学習制御を用いることによって、加熱手段に供給される水または温水の温度における急激な変動が有利に抑えられて、出湯温度を設定温度にすることがより安定する。【００２０】  また、本発明の温水防除装��では、例えば請求項４に記載されているように、前記温水貯留領域の前記温水と前記水貯留領域の前記水を混合して、該混合水を前記加熱手段に供給する混合手段を備えており、前記制御手段は、前記フィードバック制御によって該温水の温度が前記温度設定手段による前記設定温度に最も近づいた時の最適データをサンプリングして、該最適データを実現するように該混合手段における該温水と該水の混合比を学習制御する構成が採用されても良い。【００２１】  このような温水防除装置では、水と温水を混合する混合手段が設けられ、この混合比の制御方式に、上述の請求項３に記載の温水防除装置と同様な学習制御が用いられる。それ故、加熱手段に供給される水または温水の温度における急激な変動が一層有利に抑えられて、出湯温度を設定温度にすることの更なる安定化が図られる。【００２２】  また、本発明の温水防除装置では、例えば請求項５に記載されているように、前記吐出手段から外部に吐出される前記温水の積算流量を測定する積算流量測定手段と、前記温水を吐出できる流量の制限値を設けて、前記積算流量が該制限値に達したら、その制限値に達したことを報知して、吐出手段の作動を停止する流量制限手段とを備える構成が採用されても良い。【００２３】  このような温水防除装置では、温水の散布流量が制限されることによって、温水を圃場または農作物に過剰に散布することが防止され、農作物の高温または過湿障害がより効果的に抑えられる。また、温水を散布する作業者が、散布の途中で流量制限手段により急に散布が止まったとしても、流量が制限値に達したことが報知されることによって、流量制限手段が機能したことをすぐに作業者に認識させることができる。それ故、作業者に対して、装置が故障したかもしれないとの不安を速やかに解消させることができる。【００２４】  また、本発明の温水防除装置では、例えば請求項６に記載されているように、前記温水貯留領域の前記温水を外部に排出する排水手段を備えており、前記温度検知手段により検知された該温水の温度が前記温度設定手段による前記設定温度に比して高くなり過ぎた場合に、前記制御手段は、該排水手段を作動して該温水貯留領域の該温水を外部に排出させると共に、前記給水手段又は前記水貯留領域における前記水を該温水貯留領域に供給させる制御を行う構成が採用されても良い。【００２５】  このような温水防除装置では、特に大きな外乱要素などによって、温水の温度が高くなり過ぎた場合に、かかる高温水を排水手段で外部に排出すると共に、給水手段又は水貯留領域における水を温水貯留領域に供給することによって、温水の温度を速やかに下げることができる。その結果、加熱手段の発停回数が抑えられて、出湯温度を設定温度に安定化させることができる。【００２６】  また、本発明の温水防除装置では、例えば請求項７に記載されているように、前記温度検知手段の少なくとも一部が、前記温水貯留領域から前記吐出手段に至る前記温水の経路上で、該温水貯留領域よりも該吐出手段に近い側に設けられており、該温度検知手段によって検知された該温水の温度データが、無線通信手段を介して前記制御手段に送られる構成が採用されても良い。【００２７】  このような温水防除装置では、温水の温度データが吐出手段に近いところで取得されることから、吐出手段から外部に吐出される温水の出湯温度のデータをより確実に得ることができ、ひいては出湯温度を設定温度に一層精度良く合わせることができる。また、特に温水の温度データを制御手段に送る媒体が無線通信手段とされることから、吐出手段が制御手段から離れた位置でも容易にデータを送信することができ、それによって、圃場における吐出手段の配置の自由度が広がって、目的とする温水防除作業が一層有利に実現される。【００２８】  また、本発明の温水防除装置では、例えば請求項８に記載されているように、前記温水貯留領域から前記吐出手段に至る前記温水の経路上において、該温水貯留領域よりも該吐出手段に近い側には、該温水を補助的に加熱する補助加熱手段が設けられており、前記温度検知手段により検知された該温水の温度が前記温度設定手段により設定された前記設定温度よりも低い場合に、前記制御手段が該補助加熱手段を作動させて、該温水が該補助加熱手段によって加熱される構成が採用されても良い。【００２９】  このような温水防除装置では、加熱手段で加熱された温水が温水貯留領域から吐出手段に至る経路上で放熱することに起因して、温水の温度が低下することとなっても、温水が吐出手段から吐出する前に補助加熱手段によって加熱されることから、温水の温度低下が抑えられて、目的とする設定温度の温水をより安定して得ることができる。特に補助加熱手段が温水貯留領域よりも吐出手段に近い側に設けられていることによって、温水が吐出される前の放熱が一層有利に抑えられることとなり、ひいては加熱手段の発停回数もより効果的に抑制される。しかも、温水防除装置の稼働コストにおいて、補助加熱手段の稼働コストを計上したとしても、前述のような加熱手段の発停回数減少に基づく高運転効率の実現によって、加熱手段の稼働コストが大幅に抑えられることから、温水防除装置全体の稼働コストの更なる低減化が図られるのである。【００３０】  また、本発明の温水防除装置では、例えば請求項９に記載されているように、前記加熱手段、前記給水手段、前記貯留手段、前記吐出手段、前記温度検知手段、前記温度設定手段、前記制御手段、前記混合手段、前記積算流量測定手段、前記流量制限手段、前記排水手段、前記無線通信手段および前記補助加熱手段の少なくとも一つを前記圃場の任意の場所へ移動させる移動手段を備える構成が採用されても良い。【００３１】  このような温水防除装置では、装置が移動手段で移動可能とされることによって、広い圃場の温水防除を出来るだけ少ない数の温水防除装置で賄うことができ、経済性に優れる。しかも、本発明の温水防除装置においては、設定温度の領域が比較的に低い領域から高い領域まで広い場合においても、一つの貯留手段で実現されることから、部品点数の削減化に基づいて、装置のコンパクト化もしくは小型化が有利に図られる。その結果、移動手段の大型化が抑えられることとなり、圃場における装置の移動経路の自由度が広がって、目的とする温水防除作業が一層有利に実現される。【００３２】  また、本発明の温水防除装置では、例えば請求項１０に記載されているように、前記貯留手段は、前記水や前��温水を入れることが可能な容器により構成され、該容器の内部に仕切部材を設けて複数の領域を区画形成することによって、これら複数の領域の一部または全部により前記温水貯留領域や前記水貯留領域が構成されるものが採用されても良い。【００３３】  このような温水防除装置では、温水貯留領域や水貯留領域が簡単な構造で実現されることとなり、装置の低コスト化などが有利に図られる。
【図面の簡単な説明】
【００３４】
【図１】  本発明の一実施形態としての温水防除装置の構成を概略的に示す説明図。
【図２】  図１の温水防除装置の一部を構成する貯留缶において内部の状態を示す平面図。
【図３】  図２のＩＩＩ−ＩＩＩ断面図。
【図４】  本発明の別の実施形態としての温水防除装置の一部を構成する貯留缶を示す断面図。
【発明を実施するための形態】
【００３５】  以下に、本発明の実施形態について図面を参照しつつ説明する。なお、本発明の内容を分かりやすく説明するため、本発明と関連性の低い部材および部位などについては、必要に応じて図示や説明を省略する。
【００３６】  図１には、本発明の一実施形態としての温水防除装置１０の全体構成が示されている。温水防除装置１０は、筐体構造の装置本体１２やゴムホースなどからなる温水ホース１４、給水タンク１６を含んで構成されている。
【００３７】  装置本体１２は、図示しない移動手段としての自走式の車（例えば、内燃機関や車輪を備えた車）の上に設置されており、圃場の任意の場所に移動できるようになっている。装置本体１２の内部には、加熱手段としてのボイラ１８や貯留手段としての貯留缶２０、制御手段としてのコントロールユニット２２などが収容されている。
【００３８】  ボイラ１８には、灯油やガスなどの燃料を燃やすことにより得られる熱源に水をさらすことで、水を温水に換える公知のボイラ（給湯器）が採用可能である。また、ボイラ１８には、熱源の回りに水を配置するための図示しないタンクまたは配管を内蔵していると共に、タンクまたは配管内の水または温水を、必要に応じて外部に排出する手動ボール弁２４を備えたドレン管２６が設けられている。
【００３９】  貯留缶２０は、図２，３にも示されるように、有底円筒形状の缶本体２８と、缶本体２８の開口部分を覆蓋する円板形状の蓋体３０（図３の一点鎖線を参照）を含んで構成されている。
【００４０】  そこにおいて、貯留缶２０の内部には、仕切部材としての平板状の仕切板３２が設けられ、二つの領域を区画形成している。本実施形態では、この二つの領域のうち大きい方の領域が温水貯留領域３４とされていると共に、小さい方の領域が水貯留領域３６とされている。これら温水貯留領域３４と水貯留領域３６には、それぞれ、水位を測定するための電極式の水位センサ３８，４０が設けられている。これら水位センサ３８，４０は、それぞれ蓋体３０または缶本体２８設けられた固定部材（図示せず）などを介して缶本体２８に固定されており、蓋体３０が缶本体２８の開口部分を覆蓋した際に、各水位センサ３８，４０の電極が各領域３４，３６に差し入れられた状態で保持されるようになっている。
【００４１】  また、温水貯留領域３４には、温水流出管路４２が設けられていると共に、水貯留領域３６には、水流出管路４４が設けられており、これら温水流出管路４２と水流出管路４４が、電動三方ボール弁４６を介してボイラ１８の給湯入側に配された入側管路４８に接続されている。
【００４２】  さらに、ボイラ１８の給湯出側には、出側管路５０が配されており、この出側管路５０が、電動混合三方ボール弁５２を介して第一給湯管路５４と混合用給水管路５６に接続されている。第一給湯管路５４は、貯留缶２０の温水貯留領域３４に接続されている。また、混合用給水管路５６は、入側管路４８に接続されている。この入側管路４８において混合用給水管路５６と電動三方ボール弁４６との間には、管内の水または温水を循環させるための循環ポンプ５８が設けられている。
【００４３】  特に本実施形態では、出側管路５０においてボイラ１８と電動混合三方ボール弁５２との間には、第二給湯管路６０が設けられて、貯留缶２０の温水貯留領域３４に接続されている。第二給湯管路６０には、電動ボール弁６２が設けられている。また、温水貯留領域３４には、内部の温水を、必要に応じて外部に排出する手動ボール弁６４および電動ボール弁６６を備えたドレン管６８が設けられている。更に、ボイラ１８には、ボイラ１８の内部圧力が異常に上昇した際に自動的に圧力を放出させ内部圧力の降下とともに自動的に閉じる安全弁（圧力逃し弁）７０を備えた圧力管路７２が設けられており、この圧力管路７２が貯留缶２０の温水貯留領域３４に開放している。
【００４４】  また、温水貯留領域３４は、吐出管路７４を介して、所定の長さの温水ホース１４に接続されている。この吐出管路７４には、温水を吐出する方向に圧力をかける動噴ポンプ７６が設けられていると共に、吐出管路７４を流れ、ひいては外部に吐出される温水の流量を測定するための電磁式の流量センサ７８が設けられている。また、温水ホース１４の先端には、吐出ノズル８０および手動ボール弁８２を備えたシャワーヘッド８４が設けられている。
【００４５】  また、給水タンク１６は、貯留缶２０やボイラ１８内のタンクまたは配管よりも水位が低くなる位置に設置されている。給水タンク１６には、給水管路８６が設けられている。給水管路８６は、電動三方ボール弁８８を介して２つに分岐して（８６ａ，８６ｂ）、温水貯留領域３４と水貯留領域３６にそれぞれ接続されている。また、給水管路８６には、給水タンク内の水を吸い上げて温水貯留領域３４または水貯留領域３６に水を供給するための水中ポンプ９０や、水の不純物を除くストレーナ９２や、給水管路８６を流れ、ひいては温水貯留領域３４または水貯留領域３６に供給される水の流量を測定するための電磁式の流量センサ９４が設けられている。また、給水管路８６には、温水貯留領域３４の大気に開放するサイホンブレーカ９６が設けられており、このサイホンブレーカ９６によるサイホン現象によって、水中ポンプ９０が停止した時の給水管路８６内における揚水の逆流を防止するようになっている。
【００４６】  また、本実施形態では、温度検知手段としてのサーミスタの複数が設けられている。具体的に、第一サーミスタ９８が、吐出ノズル８０付近のシャワーヘッド８４に設けられている。また、第二サーミスタ１００が貯留缶２０の温水貯留領域３４に設けられている。更に、第三および第四サーミスタ１０２，１０４が、ボイラ１８の入側管路４８付近と出側管路５０付近にそれぞれ設けられている。更にまた、第五サーミスタ１０６が、給水管路８６の給水タンク１６付近に設けられている。また、温水貯留領域３４の水位センサ３８の低水位電極（一番長い電極）は、ボイラ１８が空焚きにならない温水貯留領域３４の水位で、温水貯留領域３４の第二サーミスタ１００よりも上に配置されている。
【００４７】  特に、第一サーミスタ９８の付近には、無線通信手段としての無線ＬＡＮ機器等からなる無線通信ユニット１０８が設けられている。この無線通信ユニット１０８は、シャワーヘッド８４などに固定されたり、あるいはシャワーヘッド８４の付近に配置されたりするようになっており、第一サーミスタ９８と有線または無線で接続されている。そして、第一サーミスタ９８で検知されたシャワーヘッド８４内の温水の温度データを無線でコントロールユニット２２に送信するようになっている。
【００４８】  一方、コントロールユニット２２は、ＣＰＵやＲＯＭ、ＲＡＭ、無線ＬＡＮの通信部等を含むマイクロコンピュータを備えていると共に、操作パネルを備えている。操作パネルは、図面に明示されていないが、温水防除装置１０を運転／停止するスイッチや温水の温度や流量を表示する表示部、温水を目的とする温度に設定する、温度設定手段としての設定スイッチが設けられている。特に本実施形態では、かかる設定スイッチにおいて、設定温度が温水を農作物の葉面に散布するのに適した温度（例えば５０〜６５℃）に自動的に設定される葉面散布モードのスイッチと、設定温度が温水を土壌に散布することで土壌表面または土中に生息する農作物の育成に有害な菌や害虫を有効に防除するのに適した温度（例えば７０〜９５℃）に自動的に設定される土壌消毒モードのスイッチが備わっている。
【００４９】  このようなコントロールユニット２２は、前述のボイラ１８の運転制御部や水位センサ３８，４０、電動三方ボール弁４６，８８、電動混合三方ボール弁５２、循環ポンプ５８、電動ボール弁６２，６６、動噴ポンプ７６、流量センサ７８，９４、第二乃至は第五サーミスタ１００，１０２，１０４，１０６と電気的に接続されている。
【００５０】  上述の如き構造とされた温水防除装置１０においては、例えば、農作物としてのキュウリを育成する圃場としてのビニルハウスに設置されて、川または井戸の水を給水タンク１６内に入れて、該水を加熱することにより温水を生成して、温水をキュウリの葉面に散布したり、温水を土壌に散布して土壌消毒したりする温水防除作業を行うことができる。
【００５１】  以下に、温水防除装置１０における葉面散布時の動作状態と土壌消毒時の動作状態について説明するが、本発明は、これら動作状態に限定されるものでない。
【００５２】  ［葉面散布時］
先ず、作業者が温水防除装置１０の電源をオンして、コントロールユニット２２の操作パネルにおいて、葉面散布モードの温度設定スイッチを押し、温水防除装置１０の運転をオンする。すると、コントロールユニット２２が、第二給湯管路６０の電動ボール弁６２や出側管路５０の電動混合三方ボール弁５２の混合用給水管路５６側、電動三方ボール弁４６の水流出管路４４側、ドレン管４４の電動ボール弁６６を閉状態にする共に、給水管路８６の電動三方ボール弁８８の温水貯留領域３４側を開状態にし、かつ水貯留領域３６側を閉状態にする。また、給水タンク１６に川または井戸の水を入れて、水中ポンプ９０を駆動する。これにより、給水タンク１６の水が給水管路８６ａを通じて貯留缶２０の温水貯留領域３４に貯められる。なお、上述の説明からも明らかなように、本発明の給水手段が、給水タンク１６や水中ポンプ９０、給水管路８６、電動三方ボール弁８８を含んで構成されている。
【００５３】  そして、水位センサ３８が温水貯留領域３４において水が給水停止レベルに達したことを検知すると、コントロールユニット２２が、給水管路８６の電動三方ボール弁８８の温水貯留領域３４側を閉状態にして、温水貯留領域３４への給水を停止させると共に、循環ポンプ５８に起動信号を出力して、循環ポンプ５８を駆動させる。これにより、温水貯留領域３４の水が、温水流出管路４２、入側管路４８を通ってボイラ１８に流入し、出側管路５０、第一給湯管路５４を通って再び温水貯留領域３４に流入し、この水流を繰り返す循環を行う。
【００５４】  また、上述の循環を所定時間経た後に、コントロールユニット２２がボイラ１８に起動信号を出力して、ボイラ１８を駆動させる。これにより、温水貯留領域３４の水が加熱される。また、コントロールユニット２２は、葉面散布モードの設定温度を中心とした比例帯を設定して、ボイラ１８において水を加熱する出力を、第二乃至は第四サーミスタ１００，１０２，１０４により検知された温水の各温度と設定温度との偏差に比例させる比例制御を行っている。また、コントロールユニット２２は、ボイラ１８において水を加熱する出力を、ボイラの出側温度（第四サーミスタ１０４で検知）に基づいて、Ｈ（ハイ）、Ｍ（ミドル）、Ｌ（ロー）の３位置制御で行っており、それによって、ボイラ１８の発停回数を抑えている。
【００５５】  そして、第二サーミスタ１００により検知された温水の温度が葉面散布の設定温度に入って、所定時間経過すると、コントロールユニット２２が、温度範囲ＯＫ信号をラッチすると共に、コントロールユニット２２に設けた警報ブザーを所定時間鳴らして、動噴ポンプ７６に起動信号を出力して、動噴ポンプ７６を駆動させる。これにより、作業者がシャワーヘッド８４の手動ボール弁８２を開状態にすると、キュウリの葉面散布に適した温度の温水をシャワーヘッド８４の吐出ノズル８０から外部に吐出させることができる。因みに、上述の説明からも明らかなように、本発明の吐出手段が、吐出管路７４や動噴ポンプ７６、温水ホース１４、手動ボール弁８２、シャワーヘッド８４、吐出ノズル８０を含んで構成されている。
【００５６】  かかる動作状態において、温水散布により温水貯留領域３４の水位が給水レベルに達すると、コントロールユニット２２が、給水管路８６の電動三方ボール弁８８の温水貯留領域３４側を開状態にして、水を給水タンク１６から給水管路８６ａを通じて温水貯留領域３４に流入させる。あるいは、給水管路８６の電動三方ボール弁８８の水貯留領域３６側を開状態にして、水を給水タンク１６から給水管路８６ｂを通じて水貯留領域３６に流入させ、水貯留領域３６において水を満杯にした後に、水貯留領域３６から水をオーバーフローで温水貯留領域３４に流入させることによって、温水貯留領域３４に給水することも可能である。また、コントロールユニット２２は、ボイラ１８の発停を葉面散布の出湯温度で行う。
【００５７】  また、特に、第一サーミスタ９８により検知される出湯温度が設定温度の比例帯を超えた高温水領域に達した場合には、その状態が所定時間経過すると、コントロールユニット２２が、警報ブザーを鳴らして、動噴ポンプ７６の駆動を停止させることにより、吐出ノズル８０からの高温水の吐出を強制的に停止させる。また、コントロールユニット２２が、ドレン管６６の電動ボール弁６６を開状態にして（なお、ドレン管６６の手動ボール弁６４は作業者によって予め開状態にされている）、温水貯留領域３４の温水をドレン管６６を通じて外部に排出する。これにより、温水貯留領域３４において高温水が減った分だけ給水タンク１６から水を温水貯留領域３４に入れることができることから、温水貯留領域３４における温水の高温状態を速やかに解消することができる。
【００５８】  特に本動作状態では、出湯温度が設定温度の比例帯を超えた高温水領域に達した場合に、上述のように温水貯留領域３４の高温水をドレン管６６から排水することに加えてあるいは代えて、コントロールユニット２２が、電動混合三方ボール弁４６の混合用給水管路５６側を開状態にし、かつ第二給湯管路６０の電動ボール弁６２を閉状態にする。また、コントロールユニット２２が、給水管路８６の電動三方ボール弁８８の温水貯留領域３４側を開状態にして、水を温水貯留領域３４に積極的に取り入れる。更に、コントロールユニット２２が、電動三方ボール弁４６の温水流出管路４２側を開状態にし、かつ水流出管路４４側を閉状態にする。そして、コントロールユニット２２が循環ポンプ５８を駆動する。これにより、温水貯留領域３４において比較的低い温度にされた温水または水が、温水流出管路４２、入側管路４８および混合用給水管路５６を通じて電動混合三方ボール弁５２に流入する一方、ボイラ１８内の高温水が出側管路５０を通じて電動混合三方ボール弁５２に流入することで、比較的低い温度にされた温水または水と高温水とが電動混合三方ボール弁５２において混合される。そして、この混合水が電動混合三方ボール弁５２から第一給湯管路５４を通じて温水貯留領域３４に流入する。従って、かかる混合水によって温水貯留領域３４の温水の温度が設定温度の高温領域または低温領域を大きく逸脱されることを抑えて、ボイラ１８の発停回数が軽減されると共に、農作物の高温または過湿障害が軽減される。このことからも明らかなように、本発明の混合手段が、電動混合三方ボール弁５２や混合用給水管路５６、第一および第二給湯管路５４，６０、温水流出管路４２、入側管路４８、電動三方ボール弁４６、電動ボール弁６２、循環ポンプ５８を含んで構成されている。
【００５９】  さらに、コントロールユニット２２は、第一乃至第四サーミスタ９８，１００，１０２，１０４によって検知された温水の温度または第五サーミスタ１０６によって検知された水温に基づいて、温水の温度を葉面散布の設定温度に近づける方向に温水貯留領域３４における温水の貯留量をフィードバック制御する。さらに、コントロールユニット２２は、かかるフィードバック制御によって温水の温度が葉面散布の設定温度に最も近づいた時の最適データをサンプリングして、この最適データを実現するように温水の貯留量を学習制御したり、ボイラ１８の出側管路５０の高温水と混合用給水管路５６の低温水または水とを電動混合三方ボール弁５２において混合させる混合比を学習制御したりする。
【００６０】  更にまた、コントロールユニット２２は、給水管路８６の流量センサ９４に検知された給水流量と吐出管路７４の流量センサ７８に検知された温水の吐出流量との差に基づいて、吐出ノズル８０から外部に吐出される温水の積算流量を測定する。また、コントロールユニット２２は、温水を吐出できる流量の制限値を設けており、積算流量が制限値に達したら、警報ブザーを鳴らして、動噴ポンプ７６の駆動を停止させることにより、吐出ノズル８０からの温水の吐出を強制的に停止させる。この説明からも明らかなように、本発明の積算流量測定手段や流量制限手段は、コントロールユニット２２によって構成されている。
【００６１】  ［土壌消毒時］
先ず、作業者が温水防除装置１０の電源をオンして、コントロールユニット２２の操作パネルにおいて、土壌消毒モードの温度設定スイッチを押し、温水防除装置１０の運転をオンする。すると、コントロールユニット２２が、第二給湯管路６０の電動ボール弁６２や出側管路５０の電動混合三方ボール弁５２の混合用給水管路５６側、電動三方ボール弁４６の水流出管路４４側、ドレン管４４の電動ボール弁６６を閉状態にする共に、給水管路８６の電動三方ボール弁８８の温水貯留領域３４側を閉状態にし、かつ水貯留領域３６側を開状態にする。また、給水タンク１６に川または井戸の水を入れて、水中ポンプ９０を駆動する。これにより、給水タンク１６の水が給水管路８６ｂを通じて貯留缶２０の水貯留領域３６に貯められる。
【００６２】  そして、水貯留領域３６の水を一杯に満たした後に、水貯留領域３６から水をオーバーフローさせて、温水貯留領域３４に注入する。水位センサ３８が温水貯留領域３４において水が給水停止レベルに達したことを検知すると、コントロールユニット２２が、給水管路８６の電動三方ボール弁８８の水貯留領域３６側を閉状態にして、温水貯留領域３４および水貯留領域３６への給水を停止させると共に、循環ポンプ５８に起動信号を出力して、循環ポンプ５８を駆動させる。これにより、温水貯留領域３４の水が、温水流出管路４２、入側管路４８を通ってボイラ１８に流入し、出側管路５０、第一給湯管路５４を通って再び温水貯留領域３４に流入し、この水流を繰り返す循環を行う。このとき、水貯留領域３６の水は一杯に貯められている状態を維持している。
【００６３】  また、上述の循環を所定時間経た後に、コントロールユニット２２がボイラ１８に起動信号を出力して、ボイラ１８を駆動させる。これにより、温水貯留領域３４の水が加熱される。また、コントロールユニット２２は、土壌消毒モードの設定温度を中心とした比例帯を設定して、ボイラ１８において水を加熱する出力を、第二乃至は第四サーミスタ１００，１０２，１０４により検知された温水の各温度と設定温度との偏差に比例させる比例制御を行っている。また、コントロールユニット２２は、ボイラ１８において水を加熱する出力を、ボイラの出側温度（第四サーミスタ１０４で検知）に基づいて、Ｈ（ハイ）、Ｍ（ミドル）、Ｌ（ロー）の３位置制御で行っており、それによって、ボイラ１８の発停回数を抑えている。
【００６４】  そして、第二サーミスタ１００により検知された温水の温度が土壌消毒の設定温度に入って、所定時間経過すると、コントロールユニット２２が、温度範囲ＯＫ信号をラッチすると共に、コントロールユニット２２に設けた警報ブザーを所定時間鳴らして、動噴ポンプ７６に起動信号を出力して、動噴ポンプ７６を駆動させる。これにより、作業者がシャワーヘッド８４の手動ボール弁８２を開状態にすると、土壌消毒に適した温度の温水をシャワーヘッド８４の吐出ノズル８０から外部に吐出させることができる。
【００６５】  かかる動作状態において、温水散布により温水貯留領域３４の水位が給水レベルに達すると、コントロールユニット２２が、給水管路８６の電動三方ボール弁８８の温水貯留領域３４側を開状態にし、かつ水貯留領域３６側を閉状態にして、水を給水タンク１６から給水管路８６ａを通じて温水貯留領域３４に流入させて、温水貯留領域３４の水または温水を一杯に満たした後に、温水貯留領域３４から水をオーバーフローさせて、水貯留領域３６に注入する。そして、水位センサ４０が水貯留領域３６において水が給水停止レベルに達したことを検知すると、コントロールユニット２２が、給水管路８６の電動三方ボール弁８８の温水貯留領域３４側を閉状態にして、温水貯留領域３４および水貯留領域３６への給水を停止させると共に、給水管路８６の電動三方ボール弁４２の水流出管路４４側を開状態にし、かつ温水流出管路４２側を閉状態にし、更に電動混合三方ボール弁５２の第一給湯管路５４側と第二給湯管路６０の電動ボール弁６２との少なくとも一方を開状態にして、循環ポンプ５８に起動信号を出力し循環ポンプ５８を駆動させる。これにより、水貯留領域３４にある水または低温水を、水流出管路４４、入側管路４８を通じてボイラ１８に供給して加熱させつつ、出側管路５０、第一給湯管路５４または第二給湯管路６０を通じて温水貯留領域３４に注入する。特に本実施形態では、このように温水貯留領域３４の温水がオーバーフローして水貯留領域３６に注入されることで、温水の急激な温度上昇が抑えられることとなり、それによって、急激な温度上昇に起因するボイラ１８の発停も抑えられることから、土壌消毒のように比較的に高温度の温水が必要になる場合にも、温水を目的とする高温度まで速やかに加熱することが可能となる。なお、本実施形態では、温水貯留領域３４の給水に際して、例えば、コントロールユニット２２が、給水管路８６の電動三方ボール弁８８の水貯留領域３６側を開状態にして、水を給水タンク１６から給水管路８６ｂを通じて水貯留領域３６に流入させ、水貯留領域３６において水を満杯にした後に、水貯留領域３６から水をオーバーフローで温水貯留領域３４に流入させることによって、温水貯留領域３４に給水することも可能である。また、コントロールユニット２２は、ボイラ１８の発停を土壌消毒の出湯温度で行う。
【００６６】  また、第一サーミスタ９８により検知される出湯温度が設定温度の比例帯を超えた低温水領域に達した場合には、その状態が所定時間経過すると、コントロールユニット２２が、警報ブザーを鳴らして、動噴ポンプ７６の駆動を停止させることにより、吐出ノズル８０からの低温水の吐出を強制的に停止させる。これにより、土壌消毒に効果のない低温水が、無駄に土壌に散布されることが防止される。
【００６７】  特に本動作状態では、水貯留領域３６に水が貯められていることから、例えば土壌消毒において第一給湯管路５４から温水貯留領域３４への温水の供給だけでは吐出流量が確保され難い場合に、前述のようにコントロールユニット２２が、給水管路８６の電動三方ボール弁４２の水流出管路４４側を開状態にし、かつ温水流出管路４２側を閉状態にすると共に、電動混合三方ボール弁５２の第一給湯管路５４側と第二給湯管路６０の電動ボール弁６２を何れも開状態にして、温水を第一給湯管路５４だけでなく、第二給湯管路６０をも通じて温水貯留領域３４に入れることで、吐出流量を増大させることも可能となる。
【００６８】  さらに、コントロールユニット２２は、第一乃至第四サーミスタ９８，１００，１０２，１０４によって検知された温水の温度または第五サーミスタ１０６によって検知された水温に基づいて、温水の温度を土壌消毒の設定温度に近づける方向に温水貯留領域３４における温水の貯留量と水貯留領域３６における水の貯留量をフィードバック制御する。さらに、コントロールユニット２２は、かかるフィードバック制御によって温水の温度が土壌消毒の設定温度に最も近づいた時の最適データをサンプリングして、この最適データを実現するように温水の貯留量と水の貯留量を学習制御する。
【００６９】  更にまた、コントロールユニット２２は、前述の葉面散布時と同様に、給水管路８６の流量センサ９４に検知された給水流量と吐出管路７４の流量センサ７８に検知された温水の吐出流量との差に基づいて、吐出ノズル８０から外部に吐出される温水の積算流量を測定する。また、コントロールユニット２２は、温水を吐出できる流量の制限値を設けており、積算流量が制限値に達したら、警報ブザーを鳴らして、動噴ポンプ７６の駆動を停止させることにより、吐出ノズル８０からの温水の吐出を強制的に停止させる。
【００７０】  本実施形態に従う構造とされた温水防除装置１０によれば、設定温度の領域が葉面散布時のように比較的に低い領域から土壌消毒のように高い領域まである場合に、特別に各温度領域に対応した缶体を複数用意したり、大型の缶体を用いて温水の温度容量を確保したりしなくても、一つの仕切板３２を缶本体２８の内部に設けただけの簡単な構造の貯留缶２０で広い温度領域に対応される。それ故、部品点数の削減化に基づいて、装置１０の低コスト化や装置１０の軽量化による農作業の労力軽減などが有利に図られる。しかも、装置１０のコンパクト化が図られることによって、装置をビニルハウスの任意の場所に容易に移動させることができ、優れた温水防除作業が実現される。
【００７１】  特に、上述の葉面散布時に、吐出温水の温度が下がると温度を上げる方向にフィードバック制御することとなるが、フィードバック制御だけでは温水の温度が設定温度になるまでに時間がかかってしまい、農作物に対して温水による高温または過湿障害が生じるおそれがある。そこにおいて、本実施形態では、フィードバック制御に加え、かかるフィードバック制御を利用して温水の温度が設定温度に最も近づいた時の最適データをサンプリングして、最適データを実現するように温水の貯留量や水の貯留量を制御したり、温水貯留領域３４の温水と水貯留領域３６の水の混合比を制御したりする学習制御が用いられていることから、ボイラ１８に供給される水または温水の温度における急激な変動が有利に抑えられて、出湯温度を設定温度にすることが安定する。それ故、農作物に対する温水のダメージを有利に軽減させつつ、目的とする温水防除効果が十分に得られるのである。
【００７２】  以上、本発明の一実施形態について詳述してきたが、本発明は、かかる実施形態に限定されるものでなく、実施態様が本発明の趣旨を逸脱しない限り、当業者の知識に基づいて種々なる変更、修正、改良等を加えた態様で実施可能である。
【００７３】  例えば、前記実施形態では、貯留缶２０の缶本体２８の内部に仕切板３２が設けられて、温水貯留領域３４と水貯留領域３６の２槽に分けられていたが、図４に示すように、缶本体２８よりも一回り小さな有底円筒形状の仕切缶体１１０を貯留缶２０の内部に配置することによって、缶本体２８の内部で仕切缶体１１０の外側の領域を温水貯留領域３４とすると共に、仕切缶体１１０の内側の領域を水貯留領域３６とすることも可能である。なお、図４に示す実施形態において、前記実施形態と実質的に同一の部材および部位については、前記実施形態の部材及び部位と同一の符号を付することにより、それらの詳細な説明を省略する。
【００７４】  また、前記実施形態では、温水貯留領域３４と水貯留領域３６とが、それぞれ一つずつ設けられていたが、これら貯留領域の数は特に限定されるものでなく、必要に応じて、それぞれ二つ以上設けられても良い。
【００７５】  また、前記実施形態では温水貯留領域３４が水貯留領域３６に比して大きくなっていたが、これらの領域は同じ大きさでも良いし、反対に水貯留領域３６が温水貯留領域３４に比して大きくなっていても良い。
【００７６】  また、特に図示していないが、例えば、温水貯留領域３４から吐出手段としての「吐出管路７４や動噴ポンプ７６、温水ホース１４、手動ボール弁８２、シャワーヘッド８４、吐出ノズル８０」に至る温水の経路上において、温水貯留領域３４よりも吐出手段に近い側（具体的な例としては、吐出手段の一部である温水ホース１４とシャワーヘッド８４との接続部分、もしくはシャワーヘッド８４または吐出ノズル８０）には、温水を補助的に加熱するための補助加熱手段が設けられても良い。この補助加熱手段には、例えば電気ヒータやガスバーナ、灯油バーナなど公知の加熱機器が採用される。そして、第一サーミスタ９８により検知された温水の温度が設定温度よりも低い場合に、コントロールユニット２２が補助加熱手段を作動させて、温水が補助加熱手段によって加熱されるようにしても良い。
【符号の説明】
【００７７】１０…温水防除装置、１４…温水ホース、１６…給水タンク、１８…ボイラ、２０…貯留缶、２２…コントロールユニット、３４…温水貯留領域、３６…水貯留領域、７４…吐出管路、７６…動噴ポンプ、８０…吐出ノズル、８２…手動ボール弁、８４…シャワーヘッド、８６…給水管路、８８…電動三方ボール弁、９０…水中ポンプ、９８…第一サーミスタ、１００…第二サーミスタ、１０２…第三サーミスタ、１０４…第四サーミスタ、１０６…第五サーミスタ
【図１】
2016146813.tif 000003
【図２】
2016146813.tif 000004
【図３】
2016146813.tif 000005
【図４】
2016146813.tif 000006